(57)【特許請求の範囲】
【請求項１】
開口部を有する第１ケースと、前記第１ケースの背面を覆い、その第１ケースに固定された第２ケースとによって形成された筐体内に表示装置を収納した表示部を備える情報処理装置であって、
前記第１ケースは、前記開口部を取り囲む額縁部と、その額縁部の全周において該額縁部から前記第２ケース側に直角に延出する側壁部とを有し、
前記表示装置は、前記第１ケースと第２ケース内でその第１ケースに設けられた前記側壁部に取り囲まれた状態でその表示面が第１ケースの前記開口部を通して見えるように前記額縁部の内面に載置され、
かつ、前記第１ケースの額縁部に設けられた側壁部の少なくとも対向する２つの内面に固着された２以上の保持片により、前記表示装置を前記第１ケースの額縁部の内面に押し付けて固定したことを特徴とする情報処理装置。
【請求項２】
前記側壁部が、前記第１ケースの外周縁よりも内側に設けられていることを特徴とする請求項１に記載の情報処理装置。
【発明の詳細な説明】
【技術分野】
【０００１】
本発明は、表示装置の剛性を筐体の機械的強度を向上させるために利用するとともに、部品点数の削減を図り、かつ簡便な構成によって情報処理装置全体の重量の軽減を可能とする情報処理装置に関する。
【背景技術】
【０００２】
近年、たとえばノート形パーソナルコンピュータ（以下ノートパソコンと称する）や携帯用情報端末などの表示装置を備えた多種、多様な情報処理装置が提供されている。このような機器は筐体に占める表示装置の面積が大きく、筐体の前面の開口が大きくなっている。このため、表示装置を取り付けた部分の機械的強度が充分ではなく、筐体全体にねじれが生じる。
【０００３】
従来のこの種の機器の表示装置の取り付け方法について、特許文献１が開示する携帯情報端末装置を例として説明する。すなわち、従来の携帯情報端末装置は、タッチパネルと液晶ディスプレイが重ね合わせられ、それらの周囲から端部を覆うように填められたコの字状のガスケットを有する。さらに、このガスケットを支持してケースに押さえつけるようにして固定された金属フレームを有している。
【特許文献１】特開２００１−１７５６０８号公報
【発明の開示】
【発明が解決しようとする課題】
【０００４】
このような従来の構成の携帯情報端末装置の場合、部品点数や取り付けの工数が増加するという問題点を有する。
【０００５】
さらに、筐体全体を薄肉にするとその機械的強度が弱くなり、ねじれやすくなるため、筐体を軽量化することが困難であった。
【課題を解決するための手段】
【０００６】
本発明は、開口部を有する第１ケースと、前記第１ケースの背面を覆い、その第１ケースに固定された第２ケースとによって形成された筐体内に表示装置を収納した表示部を備える情報処理装置であって、前記第１ケースは、前記開口部を取り囲む額縁部と、その額縁部の全周において該額縁部から前記第２ケース側に直角に延出する側壁部とを有し、前記表示装置は、前記第１ケースと第２ケース内でその第１ケースに設けられた前記側壁部に取り囲まれた状態でその表示面が第１ケースの前記開口部を通して見えるように前記額縁部の内面に載置され、かつ、前記第１ケースの額縁部に設けられた側壁部の少なくとも対向する２つの内面に固着された２以上の保持片により、前記表示装置を前記第１ケースの額縁部の内面に押し付けて固定した情報処理装置である。
【０００７】
また、本発明は、前記側壁部が、前記第１ケースの外周縁よりも内側に設けられていることを特徴とする。
【発明の効果】
【０００８】
本発明は、簡素な構成であるため部品点数が少なく、キャビネット材質を薄くすることで軽量化が出来、かつ保持された表示装置の剛性を利用して筐体の強度を補強することでねじれにも強く、そして、組立工数も少ない表示部を有する情報処理装置を得ることができる。
【発明を実施するための最良の形態】
【０００９】
（実施の形態１）
以下、図１〜図１０を用いて本発明の一実施形態にかかる情報処理装置について説明する。
【００１０】
図９は本実施形態の表示部を備えるノートパソコン１０の構成を示す。ノートパソコン１０の本体部１１にはキーボード１２、トラックパッド１３等が搭載されている。また、蝶番部１４によって表示部２０が本体部１１に対して回動自由であって、かつ回動途中の任意の位置で回動を停止できるように取り付けられている。表示部２０は本体部１０から回動して引き起こし、表示部２０を操作者が見やすい角度に調節して用いることができる。
【００１１】
本実施形態においては、この表示部２０の構成が特徴である。以下、図１から図１０を用いて説明する。なお、図１から図１０において、同じ要素には同じ符号を付与した。
【００１２】
図１から図１０に示すように、表示部２０は、フロントキャビネット２１とリアキャビネット４０との間に表示装置３０を装着したものである。なお、本実施の形態では、第１ケースとしてフロントキャビネット２１を用いて説明し、第２ケースとして、リアキャビネット４０を用いて説明する。また、表示装置３０としては、例えば、液晶表示装置などが挙げられる。表示装置３０の剛性が、表示部２０の剛性に大きく作用するので、ガラス基板などの剛性の高い部材を用いる表示装置の方が好ましい。
【００１３】
図９に示すように、フロントキャビネット２１の前面（操作者側）には大きな開口部２２が設けられ、この開口部２２から表示装置３０の表示面３１が見えるようになっている。フロントキャビネット２１の開口部２２の周辺の額縁部２３は、表示装置３０の表示面３１の周辺部だけを押さえるようになっている。図８が示すように、額縁部２３の内側中央部から延出する側壁部２４が、リアキャビネット４０に向かって、ほぼ垂直に立ち上がっている。表示装置３０は、側壁部２４によって構成される四辺形の枠内に収容され、かつ額縁部２３の内面に載置される。
【００１４】
図１、図３及び図８に示すように、フロントキャビネット２１の額縁部２３の内面には、たとえば不織布などでできた細長いクッション２５を両面接着テープなどで貼り付けておくことにより、装着した表示装置３０の表示面３１の周縁に対する額縁部２３の当たりを和らげることができる。クッション２５を使用するか否かは、情報処理装置の用途や使用に応じて決めることが出来る。
また、側壁部２４の内面の４箇所のコーナーには、両面接着テープなどを用いて不織布などでできた角ダンパー２６が貼り付けられている。そしてこのように準備したフロントキャビネット２１の側壁部２４の内側に表示装置３０を装着する。角ダンパー２６は、表示装置３０の側面が側壁部に直接接触することを防ぐものである。角ダンパー２６を用いることにより、例えば、ガラス基板を用いた液晶表示装置などの場合には、ガラス基板のエッジの割れや欠けを防止することが出来る。角ダンパー２６の高さ（側壁の高さ方向）は、表示装置３０の厚さと同等程度以上の高さが好ましい。長さ（側壁の周方向）は、表示装置３０のコーナー部分を保護するのに必要な長さであれば良く、額縁部の幅と同等程度以上であることが好ましい。
【００１５】
その後、図８に示すように、断面形状が四辺形の細長い保持片２７の、側壁部２４に対向する面に両面接着テープ２８を貼り付ける。次に、矢印Ａ方向の力を加えながら、かつ矢印Ｂ方向に保持片２７を押圧することにより、両面接着テープ２８を介して保持片２７を側壁部２４に固着する。この保持片２７は、表示装置３０をフロントキャビネット２１に押し付けた状態で固定する役割を有する。
この保持片２７を側壁部２４に取り付ける工程では、図８に示す逆Ｌ字形の断面形状を持つ治具５０を用いることが好ましい。図８に示すように治具５０を保持片２７の右上角に密着させ、その状態で、治具５０を矢印Ａの方向に押し付けつつ、矢印Ｂの方向に押し付ける。保持片２７が弾性体や変形可能な部材の場合、保持片２７の全面にわたり、ほぼ均一な力で押圧し固定することが難しいが、治具５０を用いることで、取り付け作業を確実に、かつ作業性良く行うことが出来る。
【００１６】
図１０Ａ〜１０Ｂに示すように、治具５０の内面側に針状突起５１を設けても良い。
【００１７】
図１０Ａに示すように、予め両面接着テープ２８を貼付した保持片２７に、針状突起５１を有する治具５０押し付ける。すると、針状突起５１が保持片２７の側面に食い込むため、保持片２７は、治具５０に一時的に保持される。次に、図１０Ｂに示すように、治具５０に保持された状態の保持片２７を、表示装置３０と側壁部２４とで形成されるコーナーに押し当てる。このとき、治具５０を介して保持片２７を矢印Ａの方向に押し付けた状態で、側壁部２４に保持片２７を矢印Ｂ方向に押し付ける。このようにすることで、保持片２７は、表示装置３０を矢印Ａ方向に押し付けた状態を維持しつつ、両面接着テープ２８によって、側壁部２４に固定される。その後、図１０Ｃに示すように、保持片２７が側壁部２４に固定された後、治具５０を取り除く。このとき、保持片２７の材質によっては、保持片２７の側面に針状突起５１の痕跡２９が残ることがあるが、表示装置３０の裏面に該当するため、外観上の不具合にはならない。以上説明したように、針状突起５１を有する治具５０を用いることにより、治具５０と保持片２７を一体に取り扱うことが出来るため、作業性が格段に向上し、かつ、保持片２７を確実に固定することが出来る。
【００１８】
なお、針状突起５１の個数、配列および形状については、保持片２７の大きさ、重さなどに応じて適宜選択することが出来る。また、針状突起５１の代わりに、治具５０の内面に接着性が弱い接着剤層を塗布形成しても良いし、あるいは、少なくとも保持片２７と接する面に対する接着力が弱い両面接着テープを治具５０の内面側に貼り付けてもよい。このようにしても、保持片２７の一時的な保持を確保することが出来る。
なお、この保持片２７は少なくとも対向する２つの側壁部２４の内側に設ける。もちろん３つ、また、４つの側壁部２４の内側に設けてもよい。また、両面接着テープ２８は、予め保持片２７に貼り付けておいてもよいし、予め側壁部２４に貼りつけておいてもよい。
【００１９】
このあと、フロントキャビネット２１に対してリアキャビネット４０をねじ止めするか、或いは嵌合などの方法で固定して表示部２０を完成する。
【００２０】
ここで、保持片２７は、表示装置３０を出来るだけ均一な力で押圧しつつ固定することが求められる。また、落下試験時の衝撃から表示装置３０を保護する緩衝材としての機能を有することが好ましい。そこで、保持片２７の材質としては、たとえばウレタン系発泡材料で２５％圧縮応力（ＪＩＳ  Ｋ  ７２２０）が０．３３ＭＰａ以上のものが軽くて好適である。なお、軽量化の点ではやや劣るが、一般的なゴム材料で上記と同等以上の硬度を有する弾性体も使用可能である。なお、情報装置の落下試験結果にもよるが、弾性体でなくても、試験結果に支障がなければ、合成樹脂や金属等の剛体でも、保持片２７として使用可能である。
【００２１】
なお上記で両面接着テープを採用した箇所は、両面接着テープに代えて接着剤を塗布しても差し支えない。
【００２２】
また本実施の形態では、側壁部２４をフロントキャビネット２１の四周から離れた部分にリブ状に形成している。つまり、側壁部２４は、フロントキャビネットの外周縁から所定の寸法だけ内周側に設けられている。但し、フロントキャビネット２１の外周縁に側壁部２４を設けることも出来る。
【００２３】
さらに、リアキャビネット４０と保持片２７の間、またはリアキャビネット４０と表示装置３０の間にも、クッション材や弾性部材を挿入してもよい。
【００２４】
以上のように本実施形態によれば、表示部のフロントキャビネットの側壁部に囲まれた内側に表示装置を収め、その上から所定の硬度を持つ部材からなる保持片で押さえて固定したことにより、簡素な構成で部品点数も工数も少なくでき、軽量化のためにキャビネット材質を薄くしても、保持された表示装置の剛性を利用して筐体の強度を補強してねじれにも強くすることができる。
【００２５】
なお、本実施の形態では、図９に示すように、表示部２０が本体部１１に取り付けられた態様を説明した。これに対し、表示部２０を本体部１１から切り離して用いる場合にも、本願発明の概念を適用できる。
【００２６】
本発明よれば、ノートパソコンや携帯用情報端末などの、表示装置を持つ情報処理装置を安価に製造できるとともに軽量化にも貢献する産業上の利用可能性の高いものである。
【産業上の利用可能性】
【００２７】
本発明は、情報処理装置の表示部が簡素な構成であるため部品点数及び組立工数が少なく、キャビネット材質を薄くすることで軽量化が出来、かつ保持された表示装置の剛性を利用して筐体の強度を補強することでねじれにも強く、有用である。
【図面の簡単な説明】
【００２８】
【図１】本発明の一実施形態における情報処理装置の表示部を示す分解斜視図
【図２】本発明の一実施形態における表示部のフロントキャビネットの構造を示す斜視図
【図３】本発明の一実施形態における表示部のフロントキャビネットにクッションと四隅の角ダンパーを装着した構造を示す斜視図
【図４】本発明の一実施形態における表示装置を示す斜視図
【図５】本発明の一実施形態における表示部のフロントキャビネットに表示装置が装着された状態を示す斜視図
【図６】本発明の一実施形態における表示部のフロントキャビネットに表示装置を保持するダンパーを装着した状態を示す斜視図
【図７】本発明の一実施形態における表示部のリアキャビネットを示す斜視図
【図８】本発明の一実施形態において、表示部に表示装置が装着された状態の部分断面図
【図９】本発明の一実施形態におけるノート形パソコンの外観斜視図
【図１０】本発明の一実施形態の表示部の組み立て方法を説明する斜視図
【符号の説明】
【００２９】
１０  ノート形パーソナルコンピュータ
２０  表示部
２１  フロントキャビネット
２２  開口部
２３  額縁部
２４  側壁部
２５  クッション
２６  角ダンパー
２７  ダンパー
２８  両面接着テープ
３０  表示装置
３１  表示面
４０  リアキャビネット
５０  治具
【図１】
0004618108.tif 000002
【図２】
0004618108.tif 000003
【図３】
0004618108.tif 000004
【図４】
0004618108.tif 000005
【図５】
0004618108.tif 000006
【図６】
0004618108.tif 000007
【図７】
0004618108.tif 000008
【図８】
0004618108.tif 000009
【図９】
0004618108.tif 000010
【図１０】
0004618108.tif 000011